(57)【要約】    【課題】  薬包帯に、使用者や用途の違い等に応じた判別性の高い表示部を自由に形成可能とする。    【解決手段】  薬包帯１１に表示部を形成する複数種の表示部形成装置４を設ける。薬包帯１１の各薬包の表示の種別に応じて該当する表示部形成装置４を駆動し、各薬包に、表示の種別に応じた表示部を形成する。【選択図】  図１
2005342527.tif 000002
【特許請求の範囲】
【請求項１】
薬包を連接してなる薬包帯に表示部を形成するようにした薬剤分包装置であって、
利用者のニーズに応じて前記各薬包を判別するために使用する表示の種別を設定する手段と、
該設定手段により設定した表示の種別に応じて、薬包帯の各薬包に表示部をそれぞれ形成する手段とを備えたことを特徴とする薬剤分包装置。
【請求項２】
前記設定手段により、同時に複数の表示の種別を設定可能であることを特徴とする請求項１に記載の薬剤分包装置。
【請求項３】
前記設定手段により、処方データに基づいて各薬包の表示の種別を自動設定可能であることを特徴とする請求項１に記載の薬剤分包装置。
【請求項４】
前記各薬包に形成した表示部に対応する表示と、その内容とを、前記薬包を収容する薬袋に印刷する手段を備えたことを特徴とする請求項１乃至３のいずれか１項に記載の薬剤分包装置。
【発明の詳細な説明】
【技術分野】
【０００１】
本発明は、薬包帯の各薬包や薬袋等に、利用者のニーズに応じた表示部を形成するための薬剤分包装置に関するものである。
【背景技術】
【０００２】
従来、服用時期に対応する着色や模様付けにより、患者が誤った時期に服用することを防止できるようにした薬包紙、薬剤分包袋が公知である（実開平６─７２８０３号公報、特開平１１―７６３６８号公報等参照）。このような薬包紙等では、カラーフィルムで形成したり、カラープリントを施したり、あるいは、ラベルを貼り付けたりすることにより、着色や模様付けを行うようにしている。
【０００３】
また、分包紙に、服用時期や包装された錠剤の異常の有無を印字できる錠剤分包機の自動補正装置が公知である（実公平３─１２６４１号公報参照）。
【０００４】
【特許文献１】実開平６─７２８０３号公報
【特許文献２】特開平１１―７６３６８号公報
【特許文献３】実公平３─１２６４１号公報
【発明の開示】
【発明が解決しようとする課題】
【０００５】
ところで、現在、病院等では、薬包に、利用者のニーズに応じた適切な判別を容易に行えるような表示が望まれている。例えば、患者については服用時期の判別、薬剤師については薬剤の判別を容易に行えるような表示が望まれている。
【０００６】
しかしながら、前記薬包紙、薬剤分包袋では、服用時期にのみ対応した着色又は模様付けを行えるだけである。
【０００７】
また、前記分包機の自動補正装置では、分包紙に「あさ」、「ひる」等の文字や、「×」等の記号を印字できるだけであり、判別性の乏しいものである。また、服用時期以外では、包装された錠剤数が適切でない等の異常の有無を印字できるだけであり、利用者のニーズに応じた適切な表示部の形成を自由に行えるわけではない。
【０００８】
そこで、本発明は、薬包帯の各薬包に、利用者のニーズに応じた表示部を形成可能な薬剤分包装置を提供することを課題とする。
【課題を解決するための手段】
【０００９】
本発明は、前記課題を解決するための手段として、薬包を連接してなる薬包帯に表示部を形成するようにした薬剤分包装置であって、利用者のニーズに応じて前記各薬包を判別するために使用する表示の種別を設定する手段と、該設定手段により設定した表示の種別に応じて、薬包帯の各薬包に表示部をそれぞれ形成する手段とを備えたものである。
【００１０】
これにより、利用者のニーズに応じた表示の種別に対応させて各薬包に適切な表示部を形成することができる。したがって、利用者は表示部を見れば、その薬包がどのような内容のものであるのかを、瞬時に、しかも間違いなく判別可能となる。
【００１１】
なお、前記表示部を形成する手段としては、色彩や線種の異なるライン、マークのほか、点字、穴等、種々の形態の表示部を形成できるものが挙げられる。また、前記各薬包の表示の種別としては、服用時期、レシピ番号、別包番号、薬剤種、薬剤管理、病棟等が挙げられる。
【００１２】
また、前記設定手段により、同時に複数の表示の種別を設定可能とすると、形成された薬包帯の利用価値をさらに高めることができる点で好ましい。
【００１３】
さらに、前記設定手段により、処方データに基づいて各薬包の表示の種別を自動設定可能とすると、既にあるデータを有効利用して自動的に表示部を形成できる点で好ましい。
【００１４】
さらにまた、前記各薬包に形成した表示部に対応する表示と、その内容とを、前記薬包を収容する薬袋に印刷する手段を備えた構成とすると、患者にとってより一層利用しやすい形態とすることができる点で好ましい。
【発明の効果】
【００１５】
本発明によれば、各薬包に表示の種別に応じて表示部を形成できるようにしたので、利用者のニーズに応じた表示の種別に対応させて表示部を形成できる。したがって、患者が服用時期を判断したり、薬剤師が包装した薬剤の表示の種別を判断する等、表示部を種々の用途に利用できるように機能を拡張することが可能となる。また、利用者はニーズに応じて自由に設定を変更でき、表示部の機能を柔軟かつ容易に多様化させることが可能となる。
【００１６】
特に、同時に複数の表示の種別を設定可能としたので、薬包を複数の利用者や用途の違い等に対応させることができ、より一層利用価値を高めることが可能となる。
【００１７】
また、処方データに基づいて各薬包の表示の種別を自動設定可能としたので、設定作業をも簡略化することができ、作業性を高めることが可能となる。
【００１８】
さらに、各薬包に形成した表示部に対応する表示と、その内容とを、前記薬包を収容する薬袋に印刷するようにしたので、表示部の表示内容を確認することが可能となる。したがって、患者への説明が容易となり、服用時の利用性を格段に向上させることが可能となる。
【発明を実施するための最良の形態】
【００１９】
以下、本発明の実施形態を添付図面に従って説明する。
【００２０】
図１は、本実施形態に係る薬剤分包装置を示す。この薬剤分包装置は、錠剤払出装置１、包装装置２、印刷装置３、表示部形成装置４、及び制御装置５を備えている。
【００２１】
錠剤払出装置１は、錠剤が種類別に収容された多数のカセット６を有する。この錠剤払出装置１は、処方データに従って該当するカセット６から錠剤を払い出す。錠剤払出装置１で払い出された錠剤は、ホッパ７を介して包装装置２に導かれる。
【００２２】
包装装置２は、ロール８から一定寸法ずつ送り出される包装紙９を長手方向に２つ折りにする。そして、一包分の錠剤が投入されると、ヒータローラ１０で包装紙９をシールして包装することにより薬包帯１１を得る。なお、包装紙９の送り量は図示しないエンコーダによって検出される。
【００２３】
印刷装置３は、包装紙９に、服用時期、患者名等を印刷する。
【００２４】
表示部形成装置４は、図２に示すように、色の異なる複数のペン１２を、ホルダ１３を介して支軸１４に支持すると共に、フレーム１５に取り付けられたソレノイド１６で各ペン１２の先端部を薬包帯１１に押し付けるようにしたものである。本実施形態では、ペン１２は６本設けられ、薬包帯１１に、表示部となる、異なる６色のラインを引くことが可能である。各ペン１２は、ソレノイド１６が動作しない時に、薬包帯１１から離れるように図示しないばねで付勢されている。このとき、ペン先は、乾燥しないように、フレーム１５に形成された溝１７に収納されるようになっている。
【００２５】
制御装置５は、図３に示すように、データ入出力装置１８、データファイル記憶用のハードディスク装置１９、及び中央処理装置２０（ＣＰＵ）からなる。データ入出力装置１８は、ＣＲＴディスプレイ２１、キーボード２２、マウス２３、プリンター２４等からなる。ＣＰＵ２０は、各種データを記憶するためのメモリ２５（ＲＡＭ）を内蔵する。メモリ２５は、処方データを記憶する処方データメモリ、その他メモリ（処理上での作業エリア、変数等）として使用する。また、ＣＰＵ２０は、薬剤分包装置全体を制御する制御プログラム２６（ＲＯＭ）を内蔵する。そして、図示しないホストコンピュータから処方データを受信し、この処方データに基づいて制御プログラム２６を実行することにより、錠剤払出装置１、包装装置２、印刷装置３、及び表示部形成装置４を駆動制御する。
【００２６】
次に、前記構成の薬剤分包装置の動作を説明する。
【００２７】
まず、ディスプレイ２１上に表示した図示しないメニュー画面から処方データ入力画面（図４参照）を起動する。このとき、データ内容は空欄である。また、調剤日には、ＣＰＵ２０に内蔵したカレンダ時計が刻む本日の日付が表示される。
【００２８】
ここで、キーボード２２等により患者ＩＤ番号（[0000777]）を入力すると、ホストコンピュータから受信された処方データに基づいて、患者名（湯山太郎）、性別（男性）、年齢（３５．２）診療科（内科）、病棟（外来）、入外区分（外来  処方箋区分[07]定期）、医師（[001]湯山裕之）等が表示される。
【００２９】
また、前記患者ＩＤ番号に対応する各処方データの内容が表示される。例えば、レシピ（ＲＰ）１では、薬包（Ａ）、コード番号（ラニラ／１１１）、薬品名（ラニラビット錠  分１  朝食後  １４日分）、容量（１５００錠）、パターン（ｄ０００）、及び形態（Ｄ）が表示される。薬包（Ａ）は、この（Ａ）が表示された薬剤を同一薬包に包装することを意味する。図４では、ＲＰ１，２の各薬剤が同一薬包に包装される。コード番号（ラニラ／１１１）は、薬剤師が入力し易いように、薬剤（ラニラビット錠）の略称から濁点を除いて縮めたような、薬剤毎に一意なコードを意味する。薬品名（ラニラビット錠  分１  朝食後  １４日分）は、１つの薬包（分１）のラニラビット錠を、朝食後服用するために、１４日分処方していることを意味する。容量（１５００錠）は、錠剤払出装置１のカセット６に１５００錠収納していることを意味する。パターン（ｄ０００）は、朝食後、半錠服用することを意味する。形態（Ｄ）は、調剤作業において薬剤を手撒き供給部から供給して包装することを意味する。なお、形態（包）は、薬剤を薬剤フィーダから自動的に供給して包装することを意味する。
【００３０】
そこで、各処方データに間違いがないか否かをチェックし、必要であればキーボード２２等で変更した後、登録する。なお、前記処方データは全て、キーボード２２、マウス２３等の操作により直接入力することも可能である。
【００３１】
続いて、図示しない設定ボタンを操作することにより、ディスプレイ２１上に図５（ａ）に示す一覧表を表示させる。ここでは、各ペン１２に対応する（１）から（６）までの番号に対し、服用時期、ＲＰ（レシピ）、別包、薬剤種、薬剤管理、病棟のいずれかの表示の種別を設定できるようになっている。また、図５（ｂ）に示すように、ペン（１）〜（３）には服用時期、ペン（４）〜（６）には病棟等のように、同時に複数設定することも可能である。
【００３２】
服用時期は、各薬包中の薬剤をいつ服用するのかを示すものである。レシピ（ＲＰ）は、処方データの各処方内容に対応する連続番号である。別包は、複数の薬剤をどのような組み合わせ又は単独で、同じ薬包に包装するのかを示すものである。これらは、薬局の窓口での説明や、患者が服用する際の判別に利用するために設定される。薬剤は、抗（抗生剤）、消（消炎剤）等、薬剤の種類を示すものである。薬剤管理は、麻薬、劇薬等、管理をする際の判別基準となるものである。これらは、主に薬剤師が利用するために設定される。病棟は、入院患者に投薬する際の弁別基準とするためのもので、主に看護婦が利用するために設定される。
【００３３】
例えば、外来患者に投薬する場合、服用時期を選択し、各ペンに「朝（朝食後）」、「昼（昼食後）」、…をそれぞれ対応させる。また、入院患者に投薬する場合、各ペン１２にＡ、Ｂ…をそれぞれ対応させる。
【００３４】
その後、登録した処方データに基づいて包装を開始し、該当する薬剤を順次薬包帯１１の各薬包に包装する。包装する薬剤は、水剤、錠剤、散薬等、包装可能なものであれば何でもよい（但し、図１に示すものでは、錠剤のみが包装される。）。そして、各薬包に、前述のようにして設定したペン１２により着色する。例えば、服用時期を選択した場合、朝食後に服用する薬剤が包装された薬包には、ペン１２により赤ラインが形成される。したがって、薬剤師はこのラインの色の違いに基づいて、各薬包にどのような薬剤が包装されているのかを患者に説明すればよい。そして、受け取った患者は、ラインの色に基づいて、いつ服用すればよいのかを瞬時に間違いなく判別することができ、服用ミスを防止可能である。
【００３５】
一方、制御装置５に設けたプリンター２４にて薬袋への印刷を行う。この場合、薬袋には、前記薬包帯１１の各薬包に形成した表示部に対応する表示と、その内容とを印刷する。図６は、赤ライン、青ライン、及び黄ラインの各表示と、これらの表示内容を示す「朝食後」、「昼食後」、及び「夕食後」を印刷したものを示す。これにより、患者は、各薬包に形成された色ラインの内容がわからなくなった場合でも、薬袋への印刷内容により確認することが可能となる。
【００３６】
なお、前記表示部形成装置４には、カラーインクジェットヘッドや図７に示すもの等、種々の構成のものが採用可能である。
【００３７】
図７では、異なる色のインクカートリッジ（図示せず）をそれぞれ収容した複数のスタンプ２７を、図示しない支持部材に支持したソレノイド２８で駆動し、先端の印影部を薬包帯１１に押し付けて表示するようにしている。印影部はカートリッジから供給されるインクを転写するスポンジ状のものが好ましい。また、薬包帯１１を挟んでスタンプ２７の反対側には支持板（図示せず）が配設されている。これにより、スタンプ２７による着色を確実に行わせることが可能である。
【００３８】
また、前記表示部形成装置４は、包装装置２の上流側等、種々の場所に設置することができる。そして、印刷装置３で兼用することも可能である。
【００３９】
また、前記表示部形成装置４により、色を異ならせるほかに、線種を変更したり、マークの種類を変更したり、点字や形状の異なる穴を設ける等、種々の表示部を形成することも可能である。
【００４０】
また、各薬包の表示の種別を設定する場合、前述のように、図５に示す一覧表から選択するほか、画面上で新たに全設定項目を入力するようにしてもよい。
【００４１】
また、ディスプレイ２１に表示した一覧表（図５（ａ）参照）を利用して、手動で表示の種別を設定する代わりに、処方データに基づいて自動的に表示の種別を設定するようにしてもよい。例えば、処方データに含まれる入外区分により、外来であれば服用時期、入院であれば病棟をそれぞれ自動設定するようにしてもよい。
【図面の簡単な説明】
【００４２】
【図１】本実施形態に係る薬剤包装装置の概略図である。
【図２】図１の表示部形成装置を示す斜視図である。
【図３】図１の制御装置を示すブロック図である。
【図４】図１のディスプレイに表示される処方データ画面を示す図である。
【図５】図１のディスプレイに表示される表示部設定画面を示す図である。
【図６】図３のプリンターにて印刷した薬袋の正面図である。
【図７】他の実施形態に係る表示部形成装置を示す斜視図である。
【符号の説明】
【００４３】
１…錠剤払出装置
２…包装装置
３…印刷装置
４…表示部形成装置
５…制御装置
１１…薬包帯
１２…ペン
２７…スタンプ
【図１】
2005342527.tif 000003
【図２】
2005342527.tif 000004
【図３】
2005342527.tif 000005
【図４】
2005342527.tif 000006
【図５】
2005342527.tif 000007
【図６】
2005342527.tif 000008
【図７】
2005342527.tif 000009